(57)【要約】【課題】  本発明は、支柱を強固に支持するとともに、統一感のある外観を長期的に保持できる手摺を提供することにある。【解決手段】  躯体足場６の支柱基礎部７にアンカーボルト４を埋設して支柱１を立設する手摺であって、支柱１と支柱基礎部７との間に、アンカーボルト４を挿通し且つ支柱１と支柱基礎部７とは別体の台座５を介在しており、台座５の支柱基礎部７との当接面は、台座５の支柱１との当接面よりも広く接触するとともに、台座５は、支柱１の取付部１５が他部１５ａ，１５ｂよりも低い位置に設けてあり、他部１５ａ，１５ｂにより支柱１と台座５との取付部が隠蔽されることを特徴とする。【選択図】      図１
2011038357.tif 000002
【特許請求の範囲】
【請求項１】
躯体足場の支柱基礎部にアンカーボルトを埋設して支柱を立設する手摺であって、支柱と支柱基礎部との間に、アンカーボルトを挿通し且つ支柱と支柱基礎部とは別体の台座を介在しており、台座の支柱基礎部との当接部は、台座の支柱との当接面よりも広く接触するとともに、台座は、支柱の取付部が他部よりも低い位置に設けてあり、他部により支柱と台座との取付部が隠蔽されることを特徴とする手摺。 
【発明の詳細な説明】
【技術分野】
【０００１】
本発明は、バルコニーや通路などに設置される手摺に関するものである。
【背景技術】
【０００２】
手摺は、ベランダ床面やスロープなどの躯体足場に築いた支柱基礎部に沿って間隔をあけて複数の支柱を立設し、さらに、各支柱の上端に沿わせるように笠木をブラケットなどで固定したものである。そして、支柱と支柱基礎部との支持構造については、手摺の設置環境や人身保護の観点などから、互いを強固に固定するための様々な手法が発表されている。その１つとして、特開２００４−２２５３８３号公報に開示されるもののように、支柱の下端からアンカーボルトを下方に向けて突出し、そのアンカーボルトを支柱基礎部に埋設することで、支柱を強固に支持した手摺を構築するものであった。
【先行技術文献】
【特許文献】
【０００３】
【特許文献１】特開２００２−５４２７９号公報
【特許文献２】特開２００４−２２５３８３号公報
【発明の概要】
【発明が解決しようとする課題】
【０００４】
ところが、特開２００４−２２５３８３号公報に開示されるものでは、支柱と支柱基礎部との固定が強固になるものの、手摺に風圧や人がもたれかかるなどの横荷重が加わったときには、支柱と支柱基礎部との当接面に荷重が集中することになる。このことから、例えば、支柱が径の細いソリッド材で形成してあるものは勿論、比較的広い範囲で当接する中空形材で形成されるものであっても、支柱を構成する壁部が、おもにコンクリートで施工される支柱基礎部に対し、所謂「線」で接触することから、支柱基礎部の一部に荷重が集中してコンクリートの割れや欠損が生じる懸念があった。そこで、支柱の補強材と支柱基礎部に固定するアングルを一体成形するものもあったが、押出機の性能上、製造が可能なサイズに限界があった。また、特開２００２−５４２７９号公報に開示されるような支柱と支柱基礎部との間に台座を挟めて荷重を分散させるものもあったが、手摺に横荷重が加わると支柱と台座との間に隙間が生じ、意匠的な統一感が失われて手摺周りの外観を損ねる問題があった。このような不具合を解消するために、上記の隙間を隠すカバーを支柱下端に取り付けていたが、応急的なカバーの取り付けによって支柱の連続的な意匠が崩れて外観の統一感が損なわれてしまうため、問題の解消には至っていない。
本発明は、上記課題を鑑みてなされたものであり、支柱を強固に支持するとともに、統一感のある外観を長期的に保持できる手摺を提供することにある。
【課題を解決するための手段】
【０００５】
本発明は、躯体足場の支柱基礎部にアンカーボルトを埋設して支柱を立設する手摺であって、支柱と支柱基礎部との間に、アンカーボルトを挿通し且つ支柱と支柱基礎部とは別体の台座を介在しており、台座の支柱基礎部との当接面は、台座の支柱との当接面よりも広く接触するとともに、台座は、支柱の取付部が他部よりも低い位置に設けてあり、他部により支柱と台座との取付部が隠蔽されることを特徴とする。ここで、他部とは、台座における取付部以外の領域部分をいい、取付部が台座の上面に溝状あるいは穴状に設けられるものが挙げられる。
【発明の効果】
【０００６】
本発明によれば、台座における支柱の取付部が他部よりも低い位置に設けてあることで、支柱と台座の取付部に隙間が生じても台座の他部により隠蔽されるので、手摺外観の視覚的な体裁が保たれる。また、支柱と台座の当接面よりも台座と手摺基礎部の当接面が広く当接することで、支柱から台座に伝達する荷重が支柱基礎部に伝達されるときに分散し、支柱基礎部の負荷が軽減されることにより、手摺基礎部の割れや欠損が防がれて手摺を長期にわたって安定的に使用することができる。さらに、台座は、支柱と支柱基礎部と別体に形成しながらも、支柱とアングルを一体成形したこの種の支柱と同等の支持強度を確保できるため、製品のサイズや意匠に過度な制限が設けられないことから、自由度の高い手摺を低コストで提供できる。
【図面の簡単な説明】
【０００７】
【図１】本実施による手摺の下方を拡大して示す斜視図である。
【図２（ａ）（ｂ）】（ａ）は、本実施による手摺の縦断面図であり、（ｂ）は、支柱と台座とアンカーボルトの固定状態を示す一部を拡大した縦断面図である。
【図３（ａ）（ｂ）（ｃ）（ｄ）（ｅ）】（ａ）は、本実施による手摺の支柱の横断面図であり、（ｂ）は、支柱を構成するカバー材の平面図であり、（ｃ）は、補強材の平面図であり、（ｄ）は、台座の縦断面図であり、（ｅ）は、台座の平面図である。
【図４（ａ）（ｂ）】本実施による手摺の横荷重に対する作動状態を説明する一部を拡大した縦断面図である。
【図５（ａ）（ｂ）】（ａ）は、本実施による手摺の全体を示す正面図であり、（ｂ）は、平面視した横断面図である。
【発明を実施するための形態】
【０００８】
以下に、図面に基づいて本実施による手摺を説明する。
本実施による手摺は、図５（ａ）（ｂ）のように、ベランダのフェンスとして適用したものであり、ベランダの躯体足場６の支柱基礎部７に沿って間隔をあけて立設する支柱１と、各支柱１間に支柱１と平行して複数本配置する縦格子９と、同じく支柱１間に配置するパネル１０と、支柱１と縦格子９の上端に沿わせて固定する笠木８と、支柱１と支柱基礎部７との間に介在する台座５とからなっている。支柱１は、図１と図２（ａ）（ｂ）と図３（ａ）のように、ほぼ断面矩形状の中空形材からなるカバー材２と、カバー材２の中空部２０に挿通する補強材３と、補強材３の下端に挿通・固定するアンカーボルト４とから構成してある。このうちカバー材２は、図３（ｂ）のように、四周を囲む側壁の内周面のすべてに内向きに突出する係止部１１がそれぞれ設けてあり、すべての係止部１１は、半円弧状に形成してあることで施工時における補強材３との摺動が滑らかになっている。また、補強材３は、図３（ｃ）のように、横断面ほぼＨ型の押出形材からなっており、補強材３をＨ字に構成する対向した二辺には、辺に沿って間隔をあけた２箇所に凹溝状の被係止部１２が設けてあり、この被係止部１２に、カバー材２の係止部１１が入り込んで互いを水平方向に係止する（図３（ａ）参照）。また、補強材３の平面視した中央の２箇所には、補強材３の長手方向に沿って伸びるアンカーボルト４のタッピングホール１３が設けてあり、タッピングホール１３の径は、アンカーボルト４を挿通したときに抜け出しが不可となる大きさに形成してある。また、補強材３における対向する二辺の側部にはカバー材２の他方の壁部にある係止部１１が当接する。これにより、カバー材２の中空部２０に補強材３を挿通したとき、カバー材２の対向するいずれかの側壁にある係止部１１が被係止部１２に凹凸に入り込み、カバー材２と補強材３が互いの前後左右の動きを所定の範囲内で拘束することになる。アンカーボルト４は、本実施ではＭ１２のものを使用しており、その一方でアンカーボルト４を挿通する補強材３のタッピングホール１３についてもＭ１２タップを立てて孔加工してあり、アンカーボルト４をタッピングホール１３に挿通したときには、アンカーボルト４が補強材３にゆるみなく保持される。尚、符号１８は支柱基礎部７の補強筋である。
【０００９】
台座５は、図３（ｄ）（ｅ）のように、支柱基礎部７に設置したときの一側から他側に向かう方向の中間部に支柱１の取付溝１５を有する縦断面ほぼ凹状をなしており、また、台座５の巾は、支柱１のカバー材２の径よりも僅かに巾広に形成してある。さらに、台座５の取付溝１５が設けてある箇所には、一側と他側に間隔をあけた２箇所に、上下に挿通するアンカーボルト４用の挿通孔１４が設けてある。また、支柱基礎部７に沿う方向には、挿通孔１４を挟んだ２箇所に皿ネジ用のネジ孔１７が設けてあり、このネジ孔１７には、補強材３に設けてある皿ネジ用のタッピングホール１９に皿ネジ２１でネジ止めする（図３（ａ）参照）。また、挿通孔１４の孔位置は、補強材３のタッピングホール１３の孔位置にそれぞれ対応して設けてあり、本実施による手摺の施工時には、２つの挿通孔１４と対応するタッピングホール１３に、それぞれアンカーボルト４が連通する（図２（ａ）（ｂ）もあわせて参照）。さらに、挿通孔１４の孔の大きさは、アンカーボルト４よりも僅かに大きく（本実施のものでは、アンカーボルト４がＭ１２（１２ｍｍ径）に対して挿通孔１４が１２．５ｍｍ径としてある。）形成してあり、その僅かな遊びによって、アンカーボルト４の動きに対して台座５が影響されるのを小さくできる構造になっている。また、台座５の底面５ａは、支柱基礎部７の排水用のテーパ面に対応して一側から他側に向かい登り勾配のテーパ状に形成してあり、支柱１を支柱基礎部７に設置したときに、取付溝１５の溝底をほぼ水平面とすることで、支柱１を垂直に立設できるようになっている。また、取付溝１５を挟んだ一側部１５ａと他側部１５ｂの端部はそれぞれ面取りしてあり、支柱１を支柱基礎部７に設置したときの境界部分の体裁を向上させている。
【００１０】
次に、本実施による手摺下端と台座周辺の作動状態について図４（ａ）（ｂ）を参照して説明する。
風圧やその他の生活要素などで支柱１に横荷重が加わったときには、支柱１の下端、具体的にはカバー材２と補強材３の下端面が台座５の上面（取付溝１５の溝底）を押圧する。このときに台座５は、支柱基礎部７に支柱１からの荷重を伝達するが、台座５の底面が支柱１の下端の当接面積に比して広いため、荷重が分散して支柱基礎部７に対する負荷を軽減する。さらに、台座５の取付溝１５の溝巾が支柱１のカバー材２よりも僅かに広く（本実施形態では取付溝５２ｍｍに対してカバー材５０ｍｍ）形成してあるため、遊びが設けられて支柱１が台座５に拘束されずに、僅かながらではあるが、支柱１の揺動が許容されている。また、支柱１の揺動により万一、カバー材２と台座５との間に隙間が生じても、台座５の他部よりも低い位置にある取付溝１５の溝底に支柱１が取り付けてあることから、台座５の取付溝１５を挟む一側部１５ａと他側部１５ｂ部分に支柱１の下端の境界部分が隠れて隙間が隠蔽されるので、手摺の外観を損ねないようになっている。
【００１１】
本発明の手摺は、台座５における支柱１との当接面が台座５の一側部１５ａと他側部１５ｂよりも低い位置にあり、手摺を眺めたときに支柱１と台座５の取付部の境界部分を隠蔽するものであればよいが、上記実施形態のように、一側部１５ａと他側部１５ｂを面取りして台座５と支柱１の側壁面とが連続する意匠を有するように形成することが望ましい。また、台座５における支柱１との当接面よりも支柱基礎部７との当接面が広く形成してあれば、その大きさについては特に限定しないが、支柱１正面側の巾については、支柱１のカバー材２の巾よりも僅かに張出す程度とし、手摺の意匠性を損ねないようにすることが望ましい。また、支柱１や台座５、アンカーボルト４、補強材３のタッピングホール１３，１９、台座５の挿通孔１４とネジ孔１７のサイズは、上記実施形態のものに限定されない。また、台座１の取付溝１５を挟む一側部１５ａと他側部１５ｂの大きさについては、本発明の手摺を正面または背面から見たときに、支柱１との意匠的な統一感を損ねない程度のものであればよい。また、支柱１間に配置される縦格子９やパネル１０については、組み合わせや種類を限定するものではなく、例えば、全てを縦格子９またはパネル１０にしてもよいし、図示は省略するが横格子やルーバーなど他のものを取り付けてもよい。
【符号の説明】
【００１２】
１  支柱
２  カバー材
３  補強材
４  アンカーボルト
５  台座
６  躯体足場
７  支柱基礎部
１５  取付溝（取付部）
１５ａ  一側部
１５ｂ  他側部
【図１】
2011038357.tif 000003
【図２（ａ）（ｂ）】
2011038357.tif 000004
【図３（ａ）（ｂ）（ｃ）（ｄ）（ｅ）】
2011038357.tif 000005
【図４（ａ）（ｂ）】
2011038357.tif 000006
【図５（ａ）（ｂ）】
2011038357.tif 000007